(57)【要約】      （修正有）【課題】接着テープを用いずにカプセル容器を強固に結合することができ、子供でも手で簡単に開けることが可能なカプセル容器を提供する。【解決手段】開口部に嵌合突起１１を備えた雄型外殻１０と、嵌合突起を嵌入する嵌合凹部２１を備えた雌型外殻２０を設ける。また、いずれか一方の外殻の開口部両端に揺動自在な係止爪体３０を一対設け、各係止爪体に係合する係合突起４０を他方の外殻の外側面部に設ける。雌型外殻の嵌合凹部２１に雄型外殻の嵌合突起１１を嵌合して外殻相互を施蓋し、一対の係止爪体３０を各係合突起４０に係合して外殻相互を固定する。【選択図】図２
0003185407.tif 000002
【実用新案登録請求の範囲】
【請求項１】
半球形状を成した一対の外殻の開口部相互を接合するカプセル容器において、
開口部に嵌合突起を備えた雄型外殻と、該嵌合突起を嵌入する嵌合凹部を備えた雌型外殻とが各別に構成され、
いずれか一方の外殻の開口部両端に揺動自在な係止爪体を一対設けると共に、各係止爪体に係合する係合突起を他方の外殻の外側面部に設け、
雌型外殻の嵌合凹部に雄型外殻の嵌合突起を嵌合して開口部相互を接合すると共に、一対の係止爪体を各係合突起に係合して外殻相互を固定するように構成したことを特徴とするカプセル容器。
【請求項２】
前記雄型外殻の開口部に前記雌型外殻の開口部内側に嵌合せしめる嵌合片を周設し、該嵌合片の一部を切欠いた部分に前記嵌合突起を突設した請求項１記載のカプセル容器。
【請求項３】
前記雌型外殻の外側面に球状の外側面を平面に削いだ形状の平面部が形成され、該平面部から前記係止爪体を延長形成すると共に、
前記雄型外殻の外側面に球状の外側面を平面に削いだ形状の平面部が形成され、該平面部に前記係合突起を設けた請求項１記載のカプセル容器。
【請求項４】
前記係止爪体は、前記雌型外殻の前記平面部と同一面となる外側面を有する揺動自在な係止環と、該係止環の内側に形成された板状の係止爪とで構成され、該係止環の揺動先端部側に位置する前記雄型外殻の外側面に、該係止環の厚みより凹んだ導入凹部を形成した請求項３記載のカプセル容器。
【考案の詳細な説明】
【技術分野】
【０００１】
本考案は、玩具等を収納して自動販売機で販売する際に使用するカプセル容器に係り、特に、接着テープを用いずにカプセル容器を強固に結合することができるカプセル容器に関するものである。
【背景技術】
【０００２】
自動販売機で玩具を販売する際にカプセル容器が使用されている。このカプセル容器は、半球状を成した一対の外殻の開口部相互を合わせて接合する構造で、この外殻を接合する形式により、印籠継ぎタイプとヒンジタイプとの二種類のカプセル容器が知られている。
【０００３】
印籠継ぎタイプのカプセル容器は、一対の外殻の開口部相互を嵌合する構成で、玩具を収納した後は、外殻の嵌合部分が開くことがあるので、この嵌合部分の周囲を接着テープで固定する必要があった。
【０００４】
ヒンジタイプのカプセルは、一対の外殻の開口部の一端部にヒンジを設けて揺動自在に連結した構成で、開口部の他端部に留め具を設け、玩具を収納した後は、この留め具にて外殻を相互に固定するものである（特許文献１参照）。
【先行技術文献】
【特許文献】
【０００５】
【特許文献１】特開２０１１-２５５９１６号公報
【考案の概要】
【考案が解決しようとする課題】
【０００６】
ところが、印籠継ぎタイプのカプセル容器は、嵌合部を接着テープで張り止める作業に手間を要するため、コスト高をまねいている。また、接着テープで固定したカプセル容器は、この接着テープを剥すのに多くの手間がかかり、消費者にとって極めて開け難いものになっていた。そのため、接着テープを剥さずに、道ばたなどでカプセル容器を割って玩具を取り出すこともあるなど、散乱するカプセル容器の破片が危険物になるといった問題も生じている。
【０００７】
一方、特許文献１のようなヒンジタイプのカプセル容器は、玩具を収納した後、ヒンジを揺動して開口部を接合するため、外殻の動きを妨げる位置に玩具を収納することはできない。そのため、玩具の収納スペースが外殻の動きに規制される不都合があり、外殻の中に収納に必要のないスペースが生じる場合もある。
【０００８】
また、ヒンジタイプのカプセル容器は、留め具にて外殻を相互に固定するものであるから、この留め具がカプセル容器の周囲から突出している。このため、自動販売機の中に多数のカプセル容器を収納していると、留め具同士が引っかかり、留め具が開いてしまう問題もある。そのため、留め具の引っかかりを防止するために、留め具の外側に接着テープを接着する場合もあり、カプセル容器への収納作業性が低下することもあった。
【０００９】
そこで、本考案は、上述の課題を解消すべく案出されたもので、接着テープを用いずにカプセル容器を強固に結合することができ、しかも、子供でも手で簡単に開けることが可能なカプセル容器の提供を目的とするものである。
【課題を解決するための手段】
【００１０】
上述の目的を達成すべく本考案における第１の手段は、半球形状を成した一対の外殻の開口部相互を接合するカプセル容器において、
開口部に嵌合突起１１を備えた雄型外殻１０と、該嵌合突起１１を嵌入する嵌合凹部２１を備えた雌型外殻２０とが各別に構成され、
いずれか一方の外殻の開口部両端に揺動自在な係止爪体３０を一対設けると共に、各係止爪体３０に係合する係合突起４０を他方の外殻の外側面部に設け、
雌型外殻２０の嵌合凹部２１に雄型外殻１０の嵌合突起１１を嵌合して開口部相互を接合すると共に、一対の係止爪体３０を各係合突起４０に係合して外殻相互を固定するように構成したことにある。
【００１１】
第２の手段は、前記雄型外殻１０の開口部に前記雌型外殻２０の開口部内側に嵌合せしめる嵌合片１２を周設し、該嵌合片１２の一部を切欠いた部分に前記嵌合突起１１を突設したものである。
【００１２】
第３の手段は、前記雌型外殻２０の外側面に球状の外側面を平面に削いだ形状の平面部２２が形成され、該平面部２２から前記係止爪体３０を延長形成すると共に、
前記雄型外殻１０の外側面に球状の外側面を平面に削いだ形状の平面部１３が形成され、該平面部１３に前記係合突起４０を設けたものである。
【００１３】
第４の手段の前記係止爪体３０は、前記雌型外殻２０の前記平面部２２と同一面となる外側面を有する揺動自在な係止環３１と、該係止環３１の内側に形成された板状の係止爪３２とで構成され、該係止環３１の揺動先端部側に位置する前記雄型外殻１０の外側面に、該係止環３１の厚みより凹んだ導入凹部１４を形成したことにある。
【考案の効果】
【００１４】
請求項１のごとく、雌型外殻２０の嵌合凹部２１に雄型外殻１０の嵌合突起１１を嵌合して開口部相互を接合すると共に、一対の係止爪体３０を各係合突起４０に係合して外殻相互を固定するように構成したことにより、印籠継ぎタイプのカプセル容器に必要な接着テープを用いずにカプセル容器を強固に結合することができる。
【００１５】
しかも、係止爪体３０を係合突起４０から解除して雄型外殻１０と雌型外殻２０とを相互に引き離すだけでカプセルを開けることができるので、子供でも手で簡単に開けることが可能になった。
【００１６】
更に、雄型外殻１０と雌型外殻２０は各別に設けられているので、従来のヒンジタイプのカプセル容器のように、玩具の収納スペースがヒンジの位置に規制されたり、ヒンジを揺動する動作のために外殻の中に収納に必要のないスペースが生じたりする不都合も解消された。
【００１７】
請求項２のように、雄型外殻１０の開口部に前記雌型外殻２０の開口部内側に嵌合せしめる嵌合片１２を周設し、該嵌合片１２の一部を切欠いた部分に前記嵌合突起１１を突設しているので、嵌合突起１１はこの嵌合片１２によって保護された状態になり、嵌合突起１１による連結力を高める効果がある。
【００１８】
請求項３のごとく、前記雌型外殻２０の外側面に球状の外側面を平面に削いだ形状の平面部２２が形成され、該平面部２２から前記係止爪体３０を延長形成すると共に、前記雄型外殻１０の外側面に球状の外側面を平面に削いだ形状の平面部１３が形成され、該平面部１３に前記係合突起４０を設けたことで、これら係止爪体３０や係合突起４０は、雄型外殻１０や雌型外殻２０の球状の外側面より突出しない構成になっている。そのため、従来のヒンジタイプのカプセル容器のように、カプセルの周囲から留め具部分が突出して留め具同士が引っかかり、留め具が開いてしまう問題も解消された。
【００１９】
請求項４のように、前記係止爪体３０は、前記雌型外殻２０の前記平面部２２と同一面となる外側面を有する揺動自在な係止環３１と、該係止環３１の内側に形成された板状の係止爪３２とで構成され、該係止環３１の揺動先端部側に位置する前記雄型外殻１０の外側面に、該係止環３１の厚みより凹んだ導入凹部１４を形成したことにより、この導入凹部１４から係止環３１に手指を掛け易い構成になっている。しかも、係止環３１の端部に指がかかると、簡単に係止爪体３０を解除できるので、子供でも手で簡単に開けることが可能になった。この結果、従来の印籠継ぎタイプのカプセル容器のように、接着テープを剥さずに道ばたなどでカプセルを割って玩具を取り出すこともなくなり、カプセルの破片が散乱したり危険物となったりする問題も解消された。
【図面の簡単な説明】
【００２０】
【図１】本考案の一実施例を示す斜視図である。
【図２】本考案の一実施例を示す展開斜視図である。
【図３】本考案の嵌合突起と嵌合凹部とを示す要部側面図である。
【図４】本考案の係止爪体と係合突起とを示す要部正面図である。
【図５】本考案の係止爪体の係合状態を段階的に示す要部断面図である。
【考案を実施するための形態】
【００２１】
このように本考案によると、接着テープを用いずにカプセル容器を強固に接合することができ、子供でも手で簡単に開けることが可能になるなどといった当初の目的を実現した。
【００２２】
以下、本考案の実施例を説明する。本考案カプセル容器は、雄型外殻１０と雌型外殻２０との開口部相互を接合するカプセル容器である（図１参照）。すなわち、雄型外殻１０は、開口部に嵌合突起１１を備えた外殻で、雌型外殻２０は、この嵌合突起１１を嵌入する嵌合凹部２１を備えた外殻である（図２参照）。これら雄型外殻１０と雌型外殻２０は、別々に形成されている。
【００２３】
図示の雄型外殻１０は、雄型外殻１０の開口部に雌型外殻２０の開口部内側に嵌合せしめる嵌合片１２を周設している（図２参照）。そして、この嵌合片１２の一部を切欠いた部分に嵌合突起１１を突設したものである（図３参照）。
【００２４】
そして、いずれか一方の外殻の開口部両端に揺動自在な係止爪体３０を一対設ける（図２参照）。更に、他方の外殻の外側面部に、各係止爪体３０に係合する係合突起４０を設ける。図例の係止爪体３０は、雌型外殻２０の平面部２２から延長形成されている（図１参照）。この平面部２２は、雌型外殻２０に球状の外側面を平面に削いだ状態の部位であり、この平面部２２は、雌型外殻２０の球状を成した外側面より低い面になっている。
【００２５】
この係止爪体３０は、係止環３１と係止爪３２とで構成されている（図２参照）。係止環３１は、雌型外殻２０の平面部２２の高さと同一面となる外側面を有する揺動自在な部材で（図５参照）、図示例では四角い枠状を成している（図４参照）。一方、係止爪３２は、係止環３１の内側に形成された略板状の部材で（図２参照）、この係止爪３２を係合突起４０に係合させて固定するものである（図５（ｃ）参照）。
【００２６】
更に、この係止爪体３０の解除操作を容易にするために、雄型外殻１０の外側面に導入凹部１４を形成している（図１参照）。この導入凹部１４は、係止環３１の揺動先端部側に位置する雄型外殻１０の外側面に形成するもので、係止環３１の厚みより凹んだ状態に形成されている（図５（ｃ）参照）。
【００２７】
係合突起４０は、雄型外殻１０の平面部１３に設けられている。この平面部１３は、雄型外殻１０の外側面に、球状の外側面を平面に削いだ形状の部位であり、この平面部１３は、雄型外殻１０の球状を成した外側面より低い面になっている（図２参照）。図示の係合突起４０は、左右一対の略球形状を成しており（図４参照）、基端部に係合溝４１を形成したものである（図５参照）。この係合突起４０を平面部１３に設けることで、係合突起４０は球状の外側面から大きく突出させずに済む（図２参照）。
【００２８】
本考案の開口部相互を接合するには、雌型外殻２０の嵌合凹部２１に雄型外殻１０の嵌合突起１１を嵌合して開口部相互を接合する（図３参照）。更に、この状態を固定するため、一対の係止爪体３０を各係合突起４０に係合して外殻相互を固定するものである（図１参照）。係止爪体３０を解除するには、導入凹部１４から係止爪体３０の端部に手指を掛けて係止爪体３０を持ち上げるだけで子供でも簡単に解除することができる。
【００２９】
尚、本考案の構成は図示例に限定されるものではなく、雄型外殻１０や雌型外殻２０の形状、あるいは係止爪体３０や係合突起４０の形状等は、本考案の要旨を変更しない範囲で任意に変更することができる。
【符号の説明】
【００３０】
１０  雄型外殻
１１  嵌合突起
１２  嵌合片
１３  平面部
１４  導入凹部
２０  雌型外殻
２１  嵌合凹部
２２  平面部
３０  係止爪体
３１  係止環
３２  係止爪
４０  係合突起
４１  係合溝
【図１】
0003185407.tif 000003
【図２】
0003185407.tif 000004
【図３】
0003185407.tif 000005
【図４】
0003185407.tif 000006
【図５】
0003185407.tif 000007